(57)【特許請求の範囲】
【請求項１】
先端にポート部を備えた基端の開放したバレルと、該バレルの内腔に液密かつ摺動自在に挿着されたガスケットと、先端と基端を有しており、先端側に前記ガスケットが解除可能に連結され、基端側にプランジャが着脱自在に係合されると共に先端側がバレルの内径より小さな外径を有する円筒状に形成される連結部材と、該連結部材の円筒状部分を巻回するように収容され、前記ガスケットと前記連結部材の間に圧縮収容されるコイルバネと、前記プランジャとを含んでなり、前記コイルバネの弾発力により、前記連結部材から開放されたガスケットが前進させられ、薬液が吐出されるようにされてなる薬液注入装置。
【請求項２】
ガスケットと連結部材の連結が、連結部材を軸の周りに回転させることにより解除できるようにされた請求項１に記載の薬液注入装置。
【請求項３】
連結部材の先端側に軸上に連結孔を有する閉鎖壁が設けられるとともに、ガスケットに、前記連結孔に回動自在に挿着可能かつ係合可能なフックが設けられてなる請求項２に記載の薬液注入装置。
【請求項４】
連結部材の先端側の内腔に横棒が張設されるとともに、ガスケットに、該横棒に係合可能なフックが設けられてなる請求項２に記載の薬液注入装置。
【請求項５】
横棒が軸対称に一対設けられ、フックが該一対の横棒の間に回動自在に挿着された請求項４に記載の薬液注入装置。
【請求項６】
連結部材の先端側の側壁に、縦方向と横方向のスリットからなるＬ字状スリットが設けられるとともに、ガスケットに、前記横方向のスリット部分で係合する被係合手段が設けられてなる請求項２に記載の薬液注入装置。
【請求項７】
連結部材の先端側に、軸上に円形の連結孔を有する閉鎖壁が設けられるとともに、ガスケットに、長尺な、可撓性を有する、前記連結孔に挿着可能かつ係合可能なフックが設けられ、ガスケットと連結部材の連結が、前記フックを内側に撓ませることにより解除できるようにされた請求項１に記載の薬液注入装置。
【請求項８】
フックが軸対称に一対設けられてなる請求項７に記載の薬液注入装置。
【請求項９】
ガスケットに、長尺な柄を有するフックが設けられ、該フックの柄を巻回するようにコイルバネが収容された請求項１に記載の薬液注入装置。
【請求項１０】
連結部材の先端に軸上に連結孔を有する閉鎖壁が設けられ、該連結孔にフックが回動自在かつ係合可能に挿着された請求項９に記載の薬液注入装置。
【請求項１１】
ガスケットとガスケット連結部の連結が、連結部材を軸の周りに回転させることにより解除できるようにされた請求項１０に記載の薬液注入装置。
【請求項１２】
連結孔が円形に形成されるとともに、フックが可撓性フックに形成されており、ガスケットと連結部材の連結が、前記フックを内側に撓ませることにより解除できるようにされた請求項１０に記載の薬液注入装置。
【請求項１３】
フックが軸対称に一対設けられてなる請求項１２に記載の薬液注入装置。
【請求項１４】
連結部材の先端内腔に横棒が張設され、該横棒にフックが係合され、ガスケットとガスケット連結部の連結が、連結部材を軸の周りに回転させることにより解除できるようにされた請求項９に記載の薬液注入装置。
【請求項１５】
横棒が軸対称に一対設けられ、フックが該一対の横棒の間に回動自在に挿着された請求項１４に記載の薬液注入装置。
【請求項１６】
連結部材の先端にバレルの内径より小さな外径を有する円筒部が突設され、該円筒部の内腔に、フックと該フックの柄に巻回されたコイルバネが収容配置されてなる請求項１０〜１５に記載の薬液注入装置。
【請求項１７】
連結部材の基端部とプランジャの係合が、プランジャを軸の周りに回転させることにより解除できるようにされた請求項１〜１６のいずれかに記載の薬液注入装置。
【請求項１８】
ガスケットの外周面とバレルの内周面に、夫々ガスケットが軸の回りに回転するのを防止するための複数の縦リブを設けた請求項１７に記載の薬液注入装置。
【発明の詳細な説明】
【０００１】
【発明の属する技術分野】
本発明は薬液注入装置に関する。より詳しくは、コイルバネを利用して、薬液を、血管や硬膜外、皮下、膀胱などに注入するための薬液注入装置に関する。
【０００２】
【従来の技術】
従来、抗生物質や抗癌剤等の薬液を血管や硬膜外などへ微量ずつ注入する手段として、ゴム弾性材料からなるバルーンに薬液を充填し、このバルーンの収縮力を利用して、比較的長時間にわたって薬液を血管などに持続注入する薬液注入器具が使用されている（特開平４−２３６０号公報など）。このものは、天然ゴム製管状体の中空内面をシリコーン樹脂で覆ってなる、多層構造のバルーンを用いた薬液注入器具であって、バルーンと、このバルーンを収容するハウジングと、バルーンに接続される流量制御手段をその構成要素として含むものであり、バルーンが薬液を貯蔵する容器であると共に、薬液を注入するための動力源もかねている。
【０００３】
しかしながら、バルーンの収縮力を利用した薬液注入器具は、バルーンの形成材料による影響を免れ得ないものである。すなわちバルーンがゴム弾性材料から形成されているため、輸液中に薬液を注入する圧力が経時的に変化し、正確な速度と量で薬液注入ができないという欠点を有しており、また薬液を収容する関係で溶出の無いゴムを選択する必要があるなどの欠点をも有している。
【０００４】
そこで、上記のような欠点を解消するものとして、例えばコイルバネや定荷重バネ、ゴム線などの弾性材料を駆動手段として利用した、シリンジタイプの薬液注入装置が提案されている（特開平７−５０９号公報など）。
しかしながら、このものは、駆動手段でプランジャを前進させるようにしたものなので、手などが触れてプランジャが押されることがないように、シリンジをカプセルに収容する必要があり、従って、その分装置全体が大きくなるという欠点を有しており、携帯して使用するのに適したものとは言えない。
【０００５】
【発明が解決しようとする課題】
本発明は上記の事情に鑑みてなされたもので、直接薬液瓶等より注入装置本体内へ薬液を充填することができ、なおかつ、薬液残量も正確に把握することのできる薬液注入装置を提供することを目的とする。
【０００６】
【課題を解決するための手段】
本発明者等は、上記の課題を解決するために鋭意検討の結果、駆動手段で直接ガスケットを前進させるようにすることにより、装置全体を小型化できることに想到し、本発明を完成した。すなわち，本発明は、先端にポート部を備えた基端の開放したバレルと、このバレルの内腔に液密かつ摺動自在に挿着されたガスケットと、先端と基端を有しており、先端側に前記ガスケットが解除可能に連結され、基端側にプランジャが着脱自在に係合された円筒状の連結部材と、前記プランジャと、前記ガスケットと連結部材の間に圧縮収容されたコイルバネとを含んでなり、このコイルバネの弾発力により、連結部材から開放されたガスケットが前進させられ、薬液が吐出されるようにされてなる薬液注入装置に関する。
【０００７】
ここで、ガスケットと連結部材の間にコイルバネを圧縮収容するためには、連結部材の先端部をバレルの内径より小さな外径を有する円筒状に形成し、この先端部を巻回するようにコイルバネを収容してもよく、また、ガスケットに、長尺な柄を有するフックを設け、このフックの柄を巻回するようにコイルバネを収容してもよい。
【０００８】
連結部材の先端部をバレルの内径より小さな外径を有する円筒状に形成し、この先端部を巻回するようにコイルバネを収容した場合は、ガスケットと連結部材の連結は、連結部材を軸の周りに回転させることにより解除できるようにしてもよく、また、連結部材の先端側に、軸上に円形の連結孔を有する閉鎖壁を設けるとともに、ガスケットに、長尺な、可撓性を有する、前記連結孔に挿着可能かつ係合可能なフックを設け、このフックを内側に撓ませることにより解除できるようにしてもよい。
【０００９】
また、ガスケットに、長尺な柄を有するフックを設け、このフックの柄を巻回するようにコイルバネを収容した場合は、連結部材の先端に軸上に連結孔を有する閉鎖壁を設け、この連結孔にフックを回動自在かつ係合可能に挿着して、ガスケットと連結部材の連結が、連結部材を軸の周りに回転させることにより解除されるようにしても、連結孔を円形に形成するとともに、フックを可撓性フックに形成して、ガスケットと連結部材の連結が、前記フックを内側に撓ませることにより解除されるようにしてもよい。また、連結部材の先端側の内腔に横棒を張設し、この横棒にフックを係合させて、ガスケットと連結部材の連結が、連結部材を軸の周りに回転させることにより解除されるようにしてもよい。尚、この場合、連結部材の先端にバレルの内径より小さな外径を有する円筒部を突設し、この円筒部の内腔に、フックとこのフックの柄に巻回されたコイルバネを収容してもよい。
【００１０】
連結部材の基端部とプランジャの係合は、限定するものではないが、プランジャを軸の周りに回転させることにより解除できるようにするのがよい。また、ガスケットの外周面とバレルの内周面には、夫々、ガスケットが軸の回りに回転するのを防止するための、例えば複数の縦リブを設け、プランジャや連結部材を軸の周りに回転させたときに、縦リブ同士が係合してガスケットが回転しないようにするのが望ましい。
【００１１】
【発明の実施の形態】
次に本発明の実施例について図面に基づいて説明する。
図１は本発明の一実施例を示す縦断面図であり、図２〜図８は本発明の他の実施例を示す縦断面図である。また、図９および図１０は図１に示す薬液注入装置の薬液充填及び薬液吐出の状態を示す説明図であり、図１１は本発明の薬液注入装置に流量制御手段を備えたチューブを接続した状態を示す図である。
図１〜図８に示すように、本発明の薬液注入装置は、バレル１と、ガスケット２、連結部材３、プランジャ４およびコイルバネ５を含んでなる。バレル１は基端が開放しており、先端にポート部１１を備えている。また、ガスケット２はバレル１の内腔に液密かつ摺動自在に挿着されている。連結部材３は先端と基端を有する円筒状部材であり、その先端部３１にガスケット１が解除可能に連結され、基端部３２にプランジャ４が着脱自在に係合されている。そして、ガスケット１と連結部材３の間にはコイルバネ５が圧縮収容されており、ガスケット２が連結部材３から開放された時、コイルバネ５の弾発力により、ガスケット２が前進して、薬液が吐出されるようになっている。
【００１２】
図１〜図４に示す薬液注入装置は、連結部材３の先端部３１がバレル１の内径より小さな外径を有する円筒状に形成されたもので、先端部３１の外周と基端部３２、ガスケット２、バレル１で囲まれる空間に、この円筒状部分を取り巻くようにコイルバネ５が圧縮され収容されている。連結部材3の基端部３２とプランジャ４の係合は螺合が好ましく、また、このタイプの場合、プランジャ4の被係合手段４１はオス型が好ましい。
【００１３】
図１に示すものは、連結部材3の先端部３１先端に閉鎖壁３３が設けられたもので、閉鎖壁３３にはガスケット２の被連結手段、例えばフック２１を連結するための連結孔３３１が設けられており、連結部材3を軸の周りに回転させることにより、ガスケット2を連結部材3から解除することができるようになっている。具体的には、例えば図１０に示すような構成が採用される。図１０では、連結孔３３１は長方形に形成されており、フック２１は、連結孔３３１の短径より小さな径の例えば円柱状の柄を有し（これによりフック２１は連結孔３３１の中で回動自在になる）、連結孔３３１と相似形でこれよりやや小さなサイズに形成されている。フック２１は、Ａ−Ａ断面図に示すように、連結孔３３１に挿着され係合されており、連結部材3を軸の周りに回転させ、Ｂ−Ｂ断面図に示すように、連結孔３３１とフック２１の向きを一致させると、フック２１が連結孔３３１から外れる。
【００１４】
図2に示すものは、連結部材3の先端部３１先端の内腔に軸対称に一対の平行な横棒３４が設けられたもので、この一対の横棒３４の間に、フック２２が回動自在に挿着され係合されており、連結部材3を軸の周りに回転させることにより、ガスケット2を連結部材3から解除することができるようになっている。フック２２は、横棒３４の間隔より幅が狭く、横棒３４の間隔より長径であり、一対の横棒３４の間隔より小さな径の例えば円柱状の柄を有している。この構成では、連結部材3を軸の周りに回転させ、フック２２の向きを横棒３４の向きと一致させると、フック２２が横棒３４から外れる。横棒３４は１個または２個設けられるが、図に示すように、軸対称かつ平行に一対設けるのが好ましい。
【００１５】
図３に示すものは、連結部材３の先端部３１側壁に、縦方向と横方向のスリットからなるＬ字状スリット３５が設けられるとともに、ガスケット2に、Ｌ字状スリット３５の横方向のスリットで係合する被係合手段、例えば図に示すような突起２３が設けられてなるもので、連結部材3を軸の周りに回転させることにより、ガスケット2を連結部材3から解除することができるようになっている。この構成では、連結部材3を軸の周りに回転させ、突起２３を縦方向のスリットの所に移動させると、突起２３がＬ字状スリット３５から外れる。Ｌ字状スリット３５は１個または複数個設けることができるが、軸対称に一対設けるのが好ましい。
【００１６】
図４に示すものは、連結部材3の先端部３１基端に閉鎖壁３６が設けられたもので、閉鎖壁３６にはその軸上にガスケット２の被連結手段、例えばフック２４を連結するための円形の連結孔３６１が設けられている。フック２４には長尺な可撓性を有する柄２４１が設けられており、フック２４を手などで内側に撓ませることにより、ガスケット2を連結部材3から解除することができるようになっている。フック２４は１個または２個設けられるが、図に示すように、軸対称に一対設けるのが好ましい。
【００１７】
図５〜図７に示す薬液注入装置は、ガスケット２に長尺な柄を有するフックが設けられたもので、先端部３１とガスケット２、バレル１で囲まれる空間に、この柄を取り巻くようにコイルバネ５が圧縮され収容されている。連結部材3の基端部３２とプランジャ４の係合は螺合が好ましく、また、このタイプの場合、プランジャ4の被係合手段４２はメス型が好ましい。
【００１８】
図５に示すものは、連結部材3の先端が閉鎖壁３７に形成されたもので、閉鎖壁３７にはガスケット２の被連結手段、例えばフック２５を連結するための連結孔３７１が設けられており、連結部材3を軸の周りに回転させることにより、ガスケット2を連結部材3から解除することができるようになっている。連結孔３７１は長方形に形成されており、フック２５は、連結孔３７１の短径より小さな径の例えば円柱状の長尺な柄２５１を有し（これによりフック２５は連結孔３７１の中で回動自在になる）、連結孔３７１と相似形でこれよりやや小さなサイズに形成されている。フック２５は連結孔３７１に挿着され係合されており、連結部材3を軸の周りに回転させ、連結孔３７１とフック２５の向きを一致させると、フック２５が連結孔３７１から外れる。
【００１９】
図６に示すものは、連結部材3の先端に閉鎖壁３８が設けられたもので、閉鎖壁３８にはその軸上にガスケット２の被連結手段、例えばフック２６を連結するための円形の連結孔３８１が設けられている。フック２６には長尺な可撓性を有する柄２６１が設けられており、フック２６を手などで内側に撓ませることにより、ガスケット2を連結部材3から解除することができるようになっている。フック２６は１個または２個設けられるが、図に示すように、軸対称に一対設けるのが好ましい。
【００２０】
図７に示すものは、連結部材3の先端内腔に軸対称に一対の平行な横棒３９が設けられたもので、この一対の横棒３９の間に、フック２７が回動自在に挿着され係合されており、連結部材3を軸の周りに回転させることにより、ガスケット2を連結部材3から解除することができるようになっている。フック２７は、横棒３９の間隔より幅が狭く、横棒３９の間隔より長径であり、一対の横棒３９の間隔より小さな径の例えば円柱状の長尺な柄２７１を有している。この構成では、連結部材3を軸の周りに回転させ、フック２７の向きを横棒３９の向きと一致させると、フック２７が横棒３９から外れる。横棒３９は１個または２個設けられるが、図に示すように、軸対称かつ平行に一対設けるのが好ましい。
【００２１】
図８に示す薬液注入装置は、ガスケット２の外周面とバレル１の内周面に、夫々ガスケット２が軸の回りに回転するのを防止するための複数の縦リブ２８、１２を設けたものである。これにより、連結部材３を回転させたときにガスケット２が一緒に回転するのを防ぐことができるので、連結部材３からガスケット２を確実に解除することができる。
【００２２】
次に本発明の薬液注入装置の使用について図９〜１１を用いて説明する。
図１に示す薬液注入装置Ａは、始めは図９（ａ）のような状態になっている。図９（ｂ）のようにポート部１１を薬液容器などに接続し、薬液の中に入れてプランジャ４を引くと、バレル１中に薬液が充填される。次に、図９（ｃ）のようにプランジャ４を軸の周りに回転させてプランジャ４を連結部材３から外す。このとき、連結部材３の連結孔３３１とガスケット２のフック２１は、図１０（ａ）に示すような状態で係合している。薬液注入装置Ａはこの状態で、図１１に示すように、流量制御装置１６を備えたチューブＢに接続される。図中、１５はクランプ、１７はカテーテル（図示していない）への接続手段であり、クランプ１５は閉じられている。次に、図９（ｄ）のように連結部材３を手などで軸の周りに回転させ、図１０（ｂ）のように連結部材３の連結孔３３１とガスケット２のフック２１の向きを一致させると、ガスケット２と連結部材３の連結が解除される。図１１においてクランプ１５を外すと、図１０（ｃ）に示すように、コイルバネ５の弾発力によりガスケット２が前進させられ、バレル１に充填された薬液が吐出される。
【００２３】
【発明の効果】
以上説明してきたことから明らかなように、本発明の薬液注入装置を採用することにより、プランジャを引くだけの簡単な操作で、注入器本体たるバレル内に直接薬液を充填することができるので、操作者の労力が軽減される。また、注入器本体が注射器状であるため薬液残量を正確に把握することができる。
【図面の簡単な説明】
【図１】  図１は本発明の一実施例を示す縦断面図である。
【図２】  本発明の他の実施例を示す縦断面図である。
【図３】  本発明の他の実施例を示す縦断面図である。
【図４】  本発明の他の実施例を示す縦断面図である。
【図５】  本発明の他の実施例を示す縦断面図である。
【図６】  本発明の他の実施例を示す縦断面図である。
【図７】  本発明の他の実施例を示す縦断面図である。
【図８】  本発明の他の実施例を示す縦断面図である。
【図９】  図１に示す薬液注入装置の薬液充填及び薬液吐出の状態を示す説明図である。
【図１０】  図１に示す薬液注入装置の薬液充填及び薬液吐出の状態を示す説明図である。
【図１１】  本発明の薬液注入装置に流量制御手段を備えたチューブを接続した状態を示す図である。本発明の一実施例を示す平面図である。
【符号の説明】
１  バレル
１１  ポート部
２  ガスケット
２１、２２、２４、２５、２６、２７  フック
２３  突起
２４１、２５１、２６１、２７１  柄
３  連結部材
３１  先端部
３２  基端部
３３、３６、３７、３８  閉鎖壁
３３１、３６１、３７１、３８１  連結孔
３４、３９  横棒
３５  スリット
４  プランジャ
４１  オス型被係合手段
４２  メス型被係合手段
５  コイルバネ
Ａ  薬液注入装置
Ｂ  チューブ
【図１】
0003941088.tif 000002
【図２】
0003941088.tif 000003
【図３】
0003941088.tif 000004
【図４】
0003941088.tif 000005
【図５】
0003941088.tif 000006
【図６】
0003941088.tif 000007
【図７】
0003941088.tif 000008
【図８】
0003941088.tif 000009
【図９】
0003941088.tif 000010
【図１０】
0003941088.tif 000011
【図１１】
0003941088.tif 000012